(57)【特許請求の範囲】
【請求項１】
胸ストラップ(20)と、腹ストラップ(30)と、前記胸ストラップ(20)と前記腹ストラップ(30)間のダンピングユニット(50)と、を備える、フルボディ型ハーネスであって、
前記ダンピングユニット(50)は、落下時、前記ハーネスの装着者に印加される最大負荷を制限するよう構成され、
前記ダンピングユニット(50)は、前記装着者の前方に配置され、
前記ダンピングユニット(50)は、第１端部で前記胸ストラップ(20)に、第２端部で前記腹ストラップ(30)にそれぞれ接続され、
前記ダンピングユニット(50)は、前記第１端部と前記第２端部の間に配置され、前記装着者の前方で外部ランナ(110)に接続される接続部材(51)を有し、
前記ダンピングユニット(50)は、落下時、少なくとも部分的に裂けて開くよう構成される複数のベルト層を有する、
フルボディ型ハーネス。
【請求項２】
前記ダンピングユニットは、互いに織り合わされ落下時に裂けて開く少なくとも二つのベルト層を有する、請求項１記載のフルボディ型ハーネス。
【請求項３】
前記ダンピングユニットは、長手方向及び／又は横方向に縫い合わされ、その縫合線は、落下時、少なくとも部分的に裂けて開く、請求項１又は２記載のフルボディ型ハーネス。
【請求項４】
二つの脚ストラップと、
前記胸ストラップ(20)及び／又は前記腹ストラップ(30)に接続される二つの肩ストラップと、
を備える、請求項１〜３のいずれか一記載のフルボディ型ハーネス。
【請求項５】
前記胸ストラップ(20)は、第１のリング(21)を有し、
前記腹ストラップ(30)は、第２のリング(31)を有し、
前記ダンピングユニット(50)は、前記第１および第２のリング(21,31)間に接続される、  請求項１〜４のいずれか一記載のフルボディ型ハーネス。
【発明の詳細な説明】
【技術分野】
【０００１】
本発明は、フルボディ型ハーネスに関する。
【背景技術】
【０００２】
落下リスクのある現場の人用のフルボディ（全身）型ハーネス（安全ベルト）が昔から知られている。
【０００３】
DE 299 19 016 U1には、ユーザの体をつつむ肩ストラップ、胸ストラップおよび脚ストラップを備え、ユーザを全場面で素早く保持するフルボディ型ハーネスが開示されている。肩、胸／腹および脚ストラップは、それぞれ、高いレベルの柔軟性又は高弾性を有している。フルボディ型ハーネスは、二つの肩ストラップ、腹ストラップ、胸ストラップおよび二つの脚ストラップを備えている。この場合、肩ストラップは、胸ストラップに接続されている。
【０００４】
当該技術分野における一般的な従来技術が、DE 23 63 713 B2、FR 2 760 648 A1およびFR 2 820 641 A1に開示されている。
【先行技術文献】
【特許文献】
【０００５】
【特許文献１】DE 299 19 016 U1
【特許文献２】DE 23 63 713 B2
【特許文献３】FR 2 760 648 A1
【特許文献４】FR 2 820 641 A1
【発明の概要】
【発明が解決しようとする課題】
【０００６】
本発明の目的は、落下時、装着者に印加される負荷を減少させるフルボディ型ハーネス（安全ベルト）を提供することである。
【課題を解決するための手段】
【０００７】
上記目的は、請求項１に記載されたフルボディ型ハーネス（安全ベルト；Ａｕｆｆａｎｇｇｕｒｔ）によって得ることができる。なお、特許請求の範囲に付記した図面参照符号は専ら理解を助けるためのものであり、図示の態様に限定することを意図するものではない。
【発明を実施するための形態】
【０００８】
第１の視点において、
胸ストラップと、腹ストラップと、前記胸ストラップと前記腹ストラップ間のダンピングユニットと、を備える、フルボディ型ハーネスであって、前記ダンピングユニットは、落下時、前記ハーネスの装着者に印加される最大負荷を制限するよう構成され、前記ダンピングユニットは、前記装着者の前方に配置され、前記ダンピングユニットは、第１端部で前記胸ストラップに、第２端部で前記腹ストラップにそれぞれ接続され、前記ダンピングユニットは、前記第１端部と前記第２端部の間に配置され、前記装着者の前方で外部ランナに接続される接続部材を有し、前記ダンピングユニットは、落下時、少なくとも部分的に裂けて開くよう構成される複数のベルト層を有する、フルボディ型ハーネスが提供される。
すなわち、提供されるフルボディ型ハーネスは、胸ストラップと、腹ストラップと、前記胸ストラップと前記腹ストラップ間のダンピング（緩衝）ユニットと、を備える。前記ダンピングユニットは、落下時、前記ハーネスの装着者に印加される最大負荷を制限するよう構成される。前記ダンピングユニットは、外部ランナ（ないしスライダ）に接続される接続ないし固定ユニットを有する。前記ダンピングユニットは、落下時、少なくとも一部の落下エネルギを吸収するため、少なくとも部分的に引き裂かれて層が開く（延びる）よう構成される。
【０００９】
本発明の別の視点において、前記ダンピングユニットは、少なくとも互いに織成された二層、又は、少なくとも互いに縫い合わされ落下時に開いて延びる二つの層を有する。
【００１０】
本発明のさらに別の視点において、前記ダンピングユニットは、（ベルトの）長手方向及び／又は横方向に縫い合わされ、その縫合線は、落下時、少なくとも部分的に裂けて開き延びて（ａｕｆｒｅｉβｅｎ）、ベルトが少なくとも一部の落下エネルギを吸収する。
【００１１】
本発明は、二つの肩ストラップと、腹ストラップと、胸ストラップと、二つの脚ストラップと、備える、フルボディ型ハーネスを提供するというアイデアを基礎としている。腹ストラップと胸ストラップの間に設けられたダンピング（緩衝）要素は、落下時に落下エネルギを吸収ないし落下を制動可能であり、ハーネス装着者の身体に加わる負荷は削減され又は最大負荷が制限される。例えば、レール上を順に走行するランナを、エネルギ吸収要素ないしダンピングユニットに固定することができる。
【００１２】
エネルギ吸収ユニットないしダンピング（緩衝）ユニットは、裂けて開くことができる落下ダンパ、摩擦式落下ダンパ、衝撃ヤード（ｓｃｈｏｃｋｙａｒｄ）又はその他の形態で提供することができる。
【００１３】
本発明のフルボディ型ハーネスによれば、また、ハーネス装着者が、落下時、上部身体背部がオーバハングした状態になることを防止できる。
【００１４】
本発明のさらなる形態は、従属項の要素となっている。
（形態１）形態１は、第１の視点のとおりである。
（形態２）形態２において、前記ダンピングユニットは、互いに織り合わされ落下時に裂けて開く少なくとも二つのベルト層を有する。
（形態３）形態３において、前記ダンピングユニットは、互いに縫い合わされ落下時に裂けて開く複数のベルト層を有する。
（形態４）形態４において、前記ダンピングユニットは、長手方向及び／又は横方向に縫い合わされ、その縫合線は、落下時、少なくとも部分的に裂けて開く。
（形態５）形態５において、フルボディ型ハーネスは、二つの脚ストラップと、前記胸ストラップ及び／又は前記腹ストラップに接続される二つの肩ストラップと、を備える。
（形態６）形態６において、前記胸ストラップは、第１のリングを有し、前記腹ストラップは、第２のリングを有し、前記ダンピングユニットは、前記第１および第２のリング間に接続される。
【００１５】
有利な本発明の実施例として形態を、以下図面を参照しながら、詳細に説明する。
【図面の簡単な説明】
【００１６】
【図１】第１の実施例に係るフルボディ型ハーネスの模式図である。
【図２】梯子上の第２の実施例に係るフルボディ型ハーネスの着用者の模式図である。
【実施例】
【００１７】
図１は、第１の実施例に係るフルボディ型ハーネスの模式図である。フルボディ型ハーネス１は、二つの肩ストラップ１０と、胸ストラップ２０、腹ストラップ３０と、二つの脚ストラップ４０と、備えている。二つの肩ストラップ１０は、好ましくは、胸ストラップ２０に固定され、又は少なくとも部分的に固定されている。リング２１を胸ストラップ２０の中間に設けることができる。また、リング２１を腹スラップ３０の中間に設けることができる。エネルギ吸収ユニットないしダンピングユニット５０が、胸ストラップ２０と腹ストラップ３０の間に設けられている。好ましくは、ダンピングユニット５０は、リング２１とリング３１の間に設けられている。ダンピングユニット５０は、リング５１、又は、例えば、ランナに固定可能な固定ユニットを有することができる。
【００１８】
図２は、第２の実施例に係るフルボディ型ハーネスの着用者の模式図である。図２は、第２の実施形態に係る、ランナ（ないしスライダ）１１０を備えた梯子１００と、フルボディ型ハーネス着用者を示している。この場合、第２の実施形態に係るフルボディ型ハーネスは、第１の実施形態のそれに相当している。
【００１９】
本発明によるフルボディ型ハーネスは、救助用ハーネス、クライミング用、及びその他の用途向けとして設計することができる。
【００２０】
本発明のフルボディ型ハーネスは、（ハーネス）と共に移動する落下防止安全装置（ランナ）とフルボディ型ハーネスの安全ハーネスアレスタアイ（環）との間の遷移点で、最大６ｋＮのショック吸収能力を提供することができる。加えて、本発明のフルボディ型ハーネスは、高過ぎた身体高重心によって発生する上部身体背部オーバハング状態を回避させることができる。本発明は、落下時、ランナアレスタシステム遷移点から、ダンピングユニットに、衝撃荷重エネルギを伝達させるというアイデアに関する。
【００２１】
本発明のフルボディ型ハーネスは、上述したように、胸ストラップ２０と腹ストラップ３０の間にダンピングユニット５０を備えている。このダンピングユニットは、落下時、少なくとも部分的に（ベルトの折り畳み目ないし合わせ目が）裂ける（ｅｉｎｒｅｉβｅｎ）ように形成することができる。この裂けることの効果は、また、落下（衝撃）の指標として用いることができ、ダンピングユニット５０を備えたフルボディハーネスが裂けたり又は部分的に裂けたりした場合は、再使用しないことができる。
【００２２】
ダンピングユニットないしエネルギ吸収ユニット５０は、一以上のループ部材５１を有することができる。また、それは、落下時には引き裂かれて開き（延び）ハーネス装着者に印加される最大負荷を制限するため、例えば互いに縫い合わされ又は互いに接着された複数の折り畳んだベルト層を有することができる。別の形態では、ダンピングユニットは、互いに織り合わされた複数のベルト層を有し、織り合わされた複数のベルト層は、落下時には部分的に引き裂かれて開き（延び）落下エネルギを吸収する。それに代わりあるいは付加的に、ダンピング要素（のベルト層）は、直角（横）方向の複数の縫合線（縫い合わせ目）で縫い合わされていてもよく、複数の縫合線は、落下時には部分的に引き裂かれて落下エネルギを吸収することができる。代替的にあるいは付加的に、複数の縫合線は、長手方向に設けることができる。
【符号の説明】
【００２３】
１  フルボディ型ハーネス（安全ベルト）
１０  肩ストラップ
２０  胸ストラップ
２１  リング
３０  腹ストラップ
３１  リング
４０  脚ストラップ
５０  ダンピング（緩衝）ユニット
５１  接続部材、ループ部材
１００  梯子
１１０  ランナ（スライダ）
【図１】
0005689186.tif 000002
【図２】
0005689186.tif 000003